(57)【要約】【課題】  チョコレート菓子等を収納する引き出し型カートンにおいて、外箱と中箱との摺動操作を損なうことなく、中箱に対して外箱が再閉鎖係合状態にあることを確認することが出来ることにより、開放状態のままで移送等を行うことによる収納物の落下等を抑止するカートンを提供する。【解決手段】  矩形の底面板から立設された対向する側面板と同じく対向する端面板とがそれぞれ連結されたトレー状の中箱が、一側端を閉塞してなるスリーブ状の外箱に摺動可能に挿入されてなるカートンであって、前記中箱の挿入側端面板の端縁に係合突起を突設するとともに、該係合突起が係合する係合切込を前記外箱の閉塞端角部に穿設することを特徴とするカートン。【選択図】        図１
2008056324.tif 000002
【特許請求の範囲】
【請求項１】
矩形の底面板から立設された対向する側面板と同じく対向する端面板とがそれぞれ連結されるトレー状の中箱と、該中箱の端面板側が開放した一側端から挿入され摺動可能で且つ他方の一側端を閉塞してなるスリーブ状の外箱からなるカートンであって、前記中箱の挿入側端面板の端縁に係合突起を突設するとともに、該係合突起に対応する前記外箱の閉塞側角部に係合切込を穿設することを特徴とするカートン。
【請求項２】
矩形の底面板から立設された対向する側面板と同じく対向する端面板とがそれぞれ連結されるトレー状の中箱と、該中箱のそれぞれの端面板側が開放した一側端から挿入され摺動可能で且つ他方の一側端を閉塞してなる対向する一組のスリーブ状の外箱からなるカートンであって、前記中箱の挿入側端面板の端縁にそれぞれ係合突起を突設するとともに、該係合突起に対応する前記外箱の閉塞側角部にそれぞれ係合切込を穿設することを特徴とするカートン。
【請求項３】
前記中箱が連設された側板、前板、側板、後板および貼着板により形成される胴部と、該胴部両端面部を閉鎖した直方体状で、前記胴部の一部に取り出し口を開放形成する中箱であって、該中箱の挿入側端面部の端縁に係合突起を突設したことを特徴とする請求項１記載のカートン。
【請求項４】
前記中箱が連設された側板、前板、側板、後板および貼着板により形成される胴部と、該胴部両端面部を閉鎖した直方体状で、前記胴部の一部に取り出し口を開放形成する中箱であって、該中箱の挿入側端面部の端縁にそれぞれ係合突起を突設したことを特徴とする請求項２記載のカートン。
【請求項５】
前記中箱が、矩形の底面板から立設され、両端にそれぞれ延設した折込片を有する対向する側面板と、同じく前記底面板から立設され、それぞれ側端中央部に端面係止突起を有する重合端面板を延設し、前記底面板の一方の端辺中央部に穿設した端面係止切込と同じく他方の端辺中央部の折線と略コ字状切線で中箱係止片を区画形成した対向する端面板とで構成されるトレー状の中箱で、
前記外箱が、一方の端辺にそれぞれ耳片、端板、耳片、重合端板をそれぞれ延設した、連設される側板、前板、側板、後板および貼着板と、前記後板の他方の端辺に外箱係止片を延設して構成され、一側端を閉塞したスリーブ状の外箱であることを特徴とする請求項１記載のカートン。
【請求項６】
前記中箱が、矩形の底面板から立設され、両端にそれぞれ延設した折込片を有する対向する側面板と、同じく前記底面板から立設され、それぞれ側端中央部に端面係止突起を有する重合端面板を延設し、前記底面板の両端辺中央部の折線と略コ字状切線でそれぞれ中箱係止片を区画形成した対向する端面板とで構成されるトレー状の中箱で、
前記外箱が、一方の端辺にそれぞれ耳片、端板、耳片、重合端板をそれぞれ延設した、連設される側板、前板、側板、後板および貼着板と、前記後板の他方の端辺に外箱係止片を延設して構成され、一側端を閉塞した対向する一組のスリーブ状の外箱であることを特徴とする請求項２記載のカートン。
【発明の詳細な説明】
【技術分野】
【０００１】
本発明は、胴部一側面に物品取り出しの開放部分を有する内装体と、該内装体を摺動可能に収納する外装体からなる包装体に係り、詳しくは一枚のブランク板から直方体状に形成され胴部一側面に取り出し口を有する中箱、もしくは一枚のブランク板の底板から四方の側板を起立形成してなるトレー状中舟と、前記中箱或いは中舟が摺動可能に収納される一側端縁を挿入口とし他方の側端縁を閉塞した筒状の外箱、もしくは前記中箱或いは中舟が摺動可能に収納される一側端縁を挿入口とし他方の側端縁を閉塞した対向する一組の筒状の外箱からなるカートンに関する。
【背景技術】
【０００２】
従来、キャンディー等の粒状菓子用容器として、中箱の一側面板に通孔を設け、摺動操作によって筒状外箱から露出された前記中箱の通孔より収納物を振り出す振出し口付きカートン、また、天面板に大きな取出し口を設けた中箱或いは底面板から四方の側板を起立形成するトレー状中舟を、摺動操作によって筒状外箱或いは一側端を閉塞し一側端を挿入口とした筒状外箱から引き出し、収納物を取り出す取出し口付きカートンとして、引き出し型のカートンが広く利用されている。また、前記中箱或いは中舟に対し、対向する一組の筒状外箱により、両側方向に開閉機能を有する取出し口付きカートンも個装チョコレート用容器として使用されてきており、筒状外箱と中箱或いは中舟との摺動操作によって、中箱或いは中舟が外箱から脱落することを防止する方法としては、筒状外箱の開放側一側端に延設された外係止片と、中箱の挿入側側板の一部を打ち抜き形成された内係止片により、相互に折り曲げ部が掛止め状態となって係止されるものであった（例えば、特許文献１参照）。
【特許文献１】実開昭５７−０３７７１８号公報
【０００３】
しかしながら、前記特許文献に示された考案に係る容器では、外箱および中箱に設けられたそれぞれの係止片によって、外箱から中箱が容易に脱落することは防止されているものの、外箱と中箱との摺動操作は無段階であって、閉鎖状態から完全開放状態に至るどの段階でも停止することができる。すなわち、開放途中の状態でも停止してしまうので、収納物の飲食等使用が終了し、容器を移動させるときや、携帯して移送しようとする際に、開放したままで移動させたり、閉鎖した状態としても収納物自体の移動によって容器が開放途中の状態となり、誤って収納物の落下を来たし、特に個装を施していない菓子や食品では製品の汚損しいては喫食できない状態となるなどの不都合があった。
【発明の開示】
【発明が解決しようとする課題】
【０００４】
そこで、本発明の目的は、上記問題を解決するためになしたものであって、チョコレート菓子等を収納する引き出し型カートンにおいて、外箱と中箱との摺動操作を損なうことなく、中箱に対して外箱が再閉鎖係合状態にあることを確認することが出来ることにより、開放状態のままで移送等を行うことによる収納物の落下等を抑止するカートンを提供することにある。
【課題を解決するための手段】
【０００５】
上記課題を解決するため、請求項１記載の発明は、矩形の底面板から立設された対向する側面板と同じく対向する端面板とがそれぞれ連結されるトレー状の中箱と、該中箱の端面板側が開放した一側端から挿入され摺動可能で且つ他方の一側端を閉塞してなるスリーブ状の外箱からなるカートンであって、前記中箱の挿入側端面板の端縁に係合突起を突設するとともに、該係合突起に対応する前記外箱の閉塞側角部に係合切込を穿設することを特徴とするカートンである。
【０００６】
請求項２の発明は、矩形の底面板から立設された対向する側面板と同じく対向する端面板とがそれぞれ連結されるトレー状の中箱と、該中箱のそれぞれの端面板側が開放した一側端から挿入され摺動可能で且つ他方の一側端を閉塞してなる対向する一組のスリーブ状の外箱からなるカートンであって、前記中箱の挿入側端面板の端縁にそれぞれ係合突起を突設するとともに、該係合突起に対応する前記外箱の閉塞側角部にそれぞれ係合切込を穿設することを特徴とするカートンである。
【０００７】
請求項３の発明は、前記中箱が連設された側板、前板、側板、後板および貼着板により形成される胴部と、該胴部両端面部を閉鎖した直方体状で、前記胴部の一部に取り出し口を開放形成する中箱であって、該中箱の挿入側端面部の端縁に係合突起を突設したことを特徴とする請求項１記載のカートンである。
【０００８】
請求項４の発明は、前記中箱が連設された側板、前板、側板、後板および貼着板により形成される胴部と、該胴部両端面部を閉鎖した直方体状で、前記胴部の一部に取り出し口を開放形成する中箱であって、該中箱の挿入側端面部の端縁にそれぞれ係合突起を突設したことを特徴とする請求項２記載のカートンである。
【０００９】
請求項５の発明は、前記中箱が、矩形の底面板から立設され、両端にそれぞれ延設した折込片を有する対向する側面板と、同じく前記底面板から立設され、それぞれ側端中央部に端面係止突起を有する重合端面板を延設し、前記底面板の一方の端辺中央部に穿設した端面係止切込と同じく他方の端辺中央部の折線と略コ字状切線で中箱係止片を区画形成した対向する端面板とで構成されるトレー状の中箱で、前記外箱が、一方の端辺にそれぞれ耳片、端板、耳片、重合端板をそれぞれ延設した、連設される側板、前板、側板、後板および貼着板と、前記後板の他方の端辺に外箱係止片を延設して構成され、一側端を閉塞したスリーブ状の外箱であることを特徴とする請求項１記載のカートンである。
【００１０】
請求項６の発明は、前記中箱が、矩形の底面板から立設され、両端にそれぞれ延設した折込片を有する対向する側面板と、同じく前記底面板から立設され、それぞれ側端中央部に端面係止突起を有する重合端面板を延設し、前記底面板の両端辺中央部の折線と略コ字状切線でそれぞれ中箱係止片を区画形成した対向する端面板とで構成されるトレー状の中箱で、前記外箱が、一方の端辺にそれぞれ耳片、端板、耳片、重合端板をそれぞれ延設した、連設される側板、前板、側板、後板および貼着板と、前記後板の他方の端辺に外箱係止片を延設して構成され、一側端を閉塞した対向する一組のスリーブ状の外箱であることを特徴とする請求項２記載のカートンである。
【発明の効果】
【００１１】
本発明のカートンは、中箱の端面板或いは端面部の端縁に係合突起を突設し、該中箱が挿入され摺動するスリーブ状の外箱の閉塞端角部に、前記係合突起が係合する係合切込を穿設したので、摺動操作によりカートンが閉鎖された時に、係合による撥音が発生するものであり、使用者は係合に伴う触感とともに、撥音による音感でも閉鎖状態が確認できる。このため、使用後の閉鎖状態を保持した状態での移送或いは携帯が行いやすくなり、誤ってカートンが開放したまま移送或いは携帯することによる、収納物の落下や落下による汚損等を防ぐことができるという効果を奏する。
【００１２】
また、開放操作にあたっても、係合部分が外れる触感とともに、撥音が発生するので、注意が喚起され、必要以上に無理な開放操作を行うことがなく、カートンの毀損を防止できるという効果を奏する。
【発明を実施するための最良の形態】
【００１３】
上記本発明について、図面等を用いて以下に詳述する。図１（Ａ）は本発明に係る実施例の、左外箱ブランクを示す展開平面図。（Ｂ）は同じく右外箱ブランクを示す展開平面図。（Ｃ）は同じく中箱ブランクを示す展開平面図。図２は同じく実施例の起函・組立途中の状態を示す説明用斜視図。図３は同じく実施例の組立完了状態を示す説明用斜視図。図４（Ａ）は同じく実施例に使用される別形状の中箱ブランクを示す展開平面図。（Ｂ）同中箱の起函・組立途中の状態を示す説明用斜視図。図５（Ａ）は本発明に係る他の実施例の外箱ブランクを示す展開平面図。（Ｂ）は同じく他の実施例の中箱ブランクを示す展開平面図。図６は同じく他の実施例の起函・組立途中の状態を示す説明用斜視図。
【００１４】
図１（Ａ）は本発明に係るカートンの実施例の、左外箱ブランクを示す展開平面図で、板紙等シート材を打抜き加工して形成されるブランクＰは、折線Ｌ１、Ｌ２、Ｌ３、Ｌ４を介して側板１、前板２、側板３、後板４、貼着板５を順に連設し、側板１、３の左端には折線Ｌ５、Ｌ７を介してそれぞれ耳片６、８を連設し、前板２の左端には折線Ｌ６を介して端板７を連設し、後板４の左端には折線Ｌ８を介して重合端板９を連設している。
後板４の右端には折線Ｌ９を介して外箱係止片１０が連設され、前板２の右端は外向き弧状線で弧状張出片１１を形成している。さらに、後板４と重合端板９との間の折線Ｌ８上には所定位置に内向きコ字状の係合切込１２が穿設されている。
【００１５】
図１（Ｂ）は同じく実施例の、右外箱ブランクを示す展開平面図で、ブランクＱは、折線Ｌ１’、Ｌ２’、Ｌ３’、Ｌ４’を介して側板１’、前板２’、側板３’、後板４’、貼着板５’を順に連設し、側板１’、３’の右端には折線Ｌ５’、Ｌ７’を介してそれぞれ耳片６’、８’を連設し、前板２’の右端には折線Ｌ６’を介して端板７’を連設し、後板４’の右端には折線Ｌ８’を介して重合端板９’を連設している。
後板４’の左端には折線Ｌ９’を介して外箱係止片１０’が連設され、前板２’の左端は外向き弧状線で弧状張出片１１’を形成している。さらに、後板４’と重合端板９’との間の折線Ｌ８’上には所定位置に内向きコ字状の係合切込１２’が穿設されている。
前述のとおり、左外箱と右外箱とは各部分を対称的に配設して構成されている。
【００１６】
図１（Ｃ）は同じく実施例の、中箱ブランクを示す展開平面図で、ブランクＲは、底面板１３の上下端辺に、折線Ｌ１０、Ｌ１１を介してそれぞれ側面板１４、１５を連設し、該側面板１４、１５はそれぞれ両側端に折線Ｌ１６、Ｌ１７、Ｌ１８、Ｌ１９を介して折込片２０、２１、２２、２３を延設している。
前記底面板１３の左右端辺には、折線Ｌ１２、Ｌ１３と折線Ｌ１４、Ｌ１５を介してそれぞれ端面板１６、重合端面板１８と端面板１７、重合端面板１９が連設されており、前記端面板１６、１７の上下幅中央部にはそれぞれ逆コ字状及びコ字状の切線で中箱係止片２４、２５が穿設され、前記重合端面板１８、１９の側端上下幅中央部にはそれぞれ端面係止突起２６、２７が突設されている。さらに、前記底面板１３と前記端面板１６、１７間の所定位置には折線Ｌ１２、Ｌ１３を跨いでそれぞれコ字状及び逆コ字状の係合突起２８、２９が穿設されている。
【００１７】
図２は同じく実施例の起函・組立途中の状態を示す説明用斜視図で、前述したそれぞれのブランクからの組立に関し、左外箱ブランクＰ及び右外箱ブランクＱの組立は、先ず折線Ｌ１及びＬ３、Ｌ１’及びＬ３’を用いて折り曲げ、貼着板５と側板１、同じく貼着板５’と側板１’の貼着により接続を行い平板な筒状を形成する。次に折線Ｌ１、Ｌ２、Ｌ３、Ｌ４、同じく折線Ｌ１’、Ｌ２’、Ｌ３’、Ｌ４’を用いてカートンを角筒状に起立させ、耳片６、８、重合端板９、端板７を折線Ｌ５、Ｌ６、Ｌ７、Ｌ８、同じく耳片６’、８’、重合端板９’、端板７’を折線Ｌ５’、Ｌ６’、Ｌ７’、Ｌ８’を用いて順に折り立て、所定位置を貼着してそれぞれの端縁を閉鎖形成し、しかる後に、後板４、４’の延長上の外箱係止片１０、１０’を内方に折り込んだ状態を示している。
次に中箱ブランクＲの組立は、底面板１３の四辺より折線Ｌ１０、Ｌ１１、Ｌ１２、Ｌ１３を用いてそれぞれ側面板１４、１５、端面板１６、１７を折り立て、側面板１４、１５のそれぞれ両端から折線Ｌ１６、Ｌ１７、Ｌ１８、Ｌ１９を用いて折込片２０、２１、２２、２３を内方に折り込み、折線Ｌ１４、１５を用いて重合端板１８、１９を折り曲げつつ前記折込片２０、２１、２２、２３を抱持し、該重合端板１８、１９それぞれの側端の端面係止突起２６、２７を、予め外向きに折り出された中箱係止片２４、２５による開口端部に係止させてトレー状中箱とする。
【００１８】
図３は同じく実施例の組立完了状態を示す説明用斜視図で、前述した図２の説明のように組み立てられたトレー状中箱の両端を、筒状に組み立てられた左外箱と右外箱のそれぞれの開放端より挿入して、それぞれ閉鎖された一側端まで摺動し、組立を完了した状態を示している。このとき、中箱の両端面板１６、１７と底面板１３間の折線Ｌ１２、Ｌ１３を跨いで穿設された係合突起２８、２９は中箱底面方向へ突出し、左右外箱のそれぞれ後板４、４’と重合端板９、９’との間の折線Ｌ８、Ｌ８’上に穿設された係合切込１２、１２’により形成された係合部に係合している。
【００１９】
図示は省略したが、前述した実施例の使用には、左右外箱の外方向への摺動により開放し、トレー状中箱の開放部から収納物の取出しが可能となる。このとき、中箱の両端面板１６、１７から外向きに折り出され左右外箱の両後板４、４’の内面に逆折り状態で当接している中箱係止片２４、２５は、左右外箱の両後板４、４’からそ延設され内向きに折り込まれた外箱係止片１０、１０’とそれぞれ互に係止され、中箱の摺動を規制して脱落を防止している。また、閉鎖にあたっては左右外箱の内方向への摺動によって、トレー状中箱の開放部は左右外箱の前板２、２’により閉鎖される。このとき、左右外箱の前板２、２’の弧状張出片１１、１１’が重なり合うことで閉鎖状態が安定的に維持される。
さらに、閉鎖のために、左右外箱の摺動によって両側端板７、７’及び重合端板８、８’が中箱の左右端面板１６、１７に当接する際、中箱の両係合突起２８、２９は、左右外箱の両係合切込１２、１２’に係合するとともに、係合による撥音が発生するものであり、使用者は係合に伴う触感とともに、撥音による音感でも閉鎖状態が確認できる。また、開放操作にあたっても、係合部分が外れる触感とともに、撥音が発生するので、注意が喚起され、必要以上に無理な開放操作を行うことがなく、カートンの毀損を防止できる。
【００２０】
図４（Ａ）は実施例に使用される別形状の中箱ブランクを示す展開平面図。（Ｂ）同中箱の起函・組立途中の状態を示す説明用斜視図で、すなわち前述のトレー状中箱に対し、筒状胴部を有し、両端部を閉鎖して直方体形状に形成され、胴部に大きな開口部を有するカートン状中箱であって、折線を介して側板５１、前板５２、側板５３、後板５４、貼着板５５が連設され、側板５１、５３の両端には折線を介してそれぞれ耳片５９、５９’及び６０、６０’を連設し、前板５２の両端には折線を介してそれぞれ重合蓋板５８、５８’を連設し、後板５４の両端には折線を介してそれぞれ蓋板５６、差込板５７及び蓋板５６’、差込板５７’を連設している。
前記蓋板５６、５６’の上下幅中央部にはそれぞれ逆コ字状及びコ字状の切線で中箱係止片６１、６１’が穿設され、さらに、前記後板５４と前記蓋板５６、５６’間の所定位置には折線を跨いでそれぞれコ字状及び逆コ字状の係合突起６２、６２’が穿設されている。
組立にあたっては、貼着板５５と側板５１の貼着により接続を行い平板な筒状を形成し、次にカートンを角筒状に起立させ、耳片５９、５９’、６０、６０’を折り込み、蓋板５６、５６’を折り曲げつつ差込板５７、５７’をカートン内に差し込み、中箱係止片６１、６１’を外折りした後、重合蓋板５８、５８’を貼着するものである。
カートン状中箱は、例えば上記実施例における重合蓋板が省略可能であるなど、上記実施例に限定されるものではない。
【００２１】
図５（Ａ）は本発明に係る他の実施例の外箱ブランクを示す展開平面図で、ブランクＳは、折線を介して側板１０１、前板１０２、側板１０３、後板１０４、貼着板１０５を順に連設し、側板１０１、１０３の右端には折線を介してそれぞれ耳片１０６、１０８を連設し、前板１０２の右端には折線介して端板１０７を連設し、後板１０４の右端には折線を介して重合端板１０９を連設している。
後板１０４の左端には折線を介して外箱係止片１１０が連設されている。さらに、前板１０２と端板１０７との間の折線上には所定位置に内向きコ字状の係合切込１１１が穿設されている。
【００２２】
図５（Ｂ）は同じく他の実施例の中箱ブランクを示す展開平面図で、ブランクＴは、底面板１１２の上下端辺に、折線を介してそれぞれ側面板１１３、１１４を連設し、該側面板１１３、１１４はそれぞれ両側端に折線を介して折込片１１９、１２０、１２１、１２２を延設している。
前記底面板１１２の左右端辺には、折線を介してそれぞれ端面板１１５、重合端面板１１７と端面板１１６、重合端面板１１８が連設されており、前記端面板１１５と底面板１１２間の折線の上下幅中央部には端面係止切込１２３が穿設され、前記端面板１１６の上下幅中央部にはコ字状の切線で中箱係止片１２５が穿設され、前記重合端面板１１７、１１８の側端上下幅中央部にはそれぞれ端面係止突起１２４、１２６が突設されている。
さらに、前記端面板１１６と重合端面板１１８間の所定位置には折線を跨いでコ字状の係合突起１２７が穿設されている。
【００２３】
図６は同じく他の実施例の起函・組立途中の状態を示す説明用斜視図で、外箱ブランクＳの組立は、先ず折線を用いて折り曲げ、貼着板１０５と側板１０１の貼着により接続を行い平板な筒状を形成する。次に折線を用いてカートンを角筒状に起立させ、耳片１０６、１０８、重合端板１０９、端板１０７を折線を用いて順に折り立て、所定位置を貼着して端縁を閉鎖形成し、しかる後に、後板１０４の延長上の外箱係止片１１０を内方に折り込んだ状態を示している。
中箱ブランクＴの組立は、底面板１１２の四辺より折線を用いてそれぞれ側面板１１３、１１４、端面板１１５、１１６を折り立て、両側面板１１３、１１４のそれぞれ両端から折線を用いて折込片１１９、１２０、１２１、１２２を内方に折り込み、折線を用いて重合端板１１７、１１８を折り曲げつつ前記折込片１１９、１２０、１２１、１２２を抱持し、該重合端板１１７、１１８それぞれの側端の端面係止突起１２４、１２６を、それぞれ端面係止切込１２３と、端面板１１６から予め外向きに折り出された中箱係止片１２５による開口端部に係止させてトレー状中箱としたものである。
【００２４】
図示は省略したが、前述のように組み立てられたトレー状中箱の一端、本実施例では端面板１１６側を、筒状に組み立てられた外箱の開放端より挿入して、閉鎖された一側端まで摺動し、組立を完了する。このとき、中箱の端面板１１６と重合端面板１１８間の折線を跨いで穿設された係合突起１２７は中箱天面方向へ突出し、外箱の前板１０２と端板１０７との間の折線上に穿設された係合切込１１１により形成された係合部に係合する。
本実施例では、本願発明が、前述の実施例の如く、左右外箱と中箱との組合せからなり、両側に摺動開閉する形式に限定されるものではなく、外箱と中箱との組合せにより、一側端を開放した外箱に収納された中箱が摺動開閉する形式によっても実施が可能で有り、また、外箱に設ける係合切込と中箱に設ける係合突起の穿設位置も、カートンの底面或いは背面に限定されるものではないことを示すものである。
【図面の簡単な説明】
【００２５】
【図１】（Ａ）本発明に係る実施例の、左外箱ブランクを示す展開平面図。（Ｂ）同じく右外箱ブランクを示す展開平面図。（Ｃ）同じく中箱ブランクを示す展開平面図。
【図２】同じく実施例の起函・組立途中の状態を示す説明用斜視図。
【図３】同じく実施例の組立完了状態を示す説明用斜視図。
【図４】（Ａ）同じく実施例に使用される別形状の中箱ブランクを示す展開平面図。（Ｂ）同じく中箱の起函・組立途中の状態を示す説明用斜視図。
【図５】（Ａ）本発明に係る他の実施例の外箱ブランクを示す展開平面図。（Ｂ）同じく他の実施例の中箱ブランクを示す展開平面図。
【図６】同じく他の実施例の起函・組立途中の状態を示す説明用斜視図。
【符号の説明】
【００２６】
Ｐ                左外箱ブランク
Ｑ                右外箱ブランク
Ｒ                中箱ブランク
１、１’          側板
２、２’          前板
３、３’          側板
４、４’          後板
５、５’          貼着板
６、６’          耳片
７、７’          端板
８、８’          耳片
９、９’          重合端板
１０、１０’        外箱係止片
１１、１１’        弧状張出片
１２、１２’        係合切込
１３                底面板
１４、１５          側面板
１６、１７          端面板
１８、１９          重合端面板
２０〜２３          折込片
２４、２５          中箱係止片
２６、２７          端面係止突起
２８、２９          係合突起
Ｌ１〜Ｌ９          折線（左外箱）
Ｌ１’〜Ｌ９’        折線（右外箱）
Ｌ１０〜Ｌ１９        折線（中箱）
Ｒ’              別形状の中箱ブランク
５１                側板
５２                前板
５３                側板
５４                後板
５５                貼着板
５６、５６’        蓋板
５７、５７’        差込板
５８、５８’        重合蓋板
５９、５９’        耳片
６０、６０’        耳片
６１、６１’        中箱係止片
６２、６２’        係合突起
Ｓ                他の実施形態の外箱ブランク
Ｔ                他の実施形態の中箱ブランク
１０１                側板
１０２                前板
１０３                側板
１０４                後板
１０５                貼着板
１０６、１０８        耳片
１０７                端板
１０９                重合端板
１１０                外箱係止片
１１１                係合切込
１１２                底面板
１１３、１１４        側面板
１１５、１１６        端面板
１１７、１１８        重合端面板
１１９〜１２２        折込片
１２３                端面係止切込
１２４、１２６        端面係止突起
１２５                中箱係止片
１２７                係合突起
【図１】
2008056324.tif 000003
【図２】
2008056324.tif 000004
【図３】
2008056324.tif 000005
【図４】
2008056324.tif 000006
【図５】
2008056324.tif 000007
【図６】
2008056324.tif 000008